(57)【要約】【課題】任意のテープ部分を一見しただけで、テープ部分の長手方向位置や収納されている紙幣の概数を把握することを可能とする。【解決手段】長尺、帯状のテープ２と、テープの長手方向一端部側を支持し、正逆回転することにより当該テープの巻取り、及び送出しを実施する第一リール１０と、テープの長手方向他端部側を支持し、正逆回転することにより当該テープの送出し、及び巻取りを実施する第二リール２０と、を備え、外部から供給される紙幣をテープと共に第一リールの外周に螺旋状に巻取り収納するテープ巻取り式紙幣還流装置であって、テープには、文字、図形、記号、若しくはこれらの結合、又はこれら色彩との結合からなる模様１００が付されており、模様は、テープの長手方向一端部側から他端部側へ向かうに連れてテープの短手方向における模様の位置、又は／及び、形態が外観上変化するように構成されていることを特徴とする。【選択図】図１
2016057963.tif 000002
【特許請求の範囲】
【請求項１】
長尺、帯状の第一テープと、該第一テープの長手方向一端部側を支持し、正逆回転することにより当該第一テープの巻取り、及び送出しを実施する第一リールと、該第一テープの長手方向他端部側を支持し、正逆回転することにより当該第一テープの送出し、及び巻取りを実施する第二リールと、を備え、
外部から供給される紙幣を前記第一テープと共に前記第一リールの外周に螺旋状に巻取り収納するテープ巻取り式紙幣還流装置であって、
前記第一テープには、文字、図形、記号、若しくはこれらの結合、又はこれら色彩との結合からなる模様が付されており、該模様は、前記第一テープの長手方向一端部側から他端部側へ向かうに連れて前記第一テープの短手方向における該模様の位置、又は／及び、形態が外観上変化するように構成されていることを特徴とするテープ巻取り式紙幣還流装置。
【請求項２】
長手方向一端部側を前記第一リールによって支持された長尺、帯状の第二テープと、該第二テープの長手方向他端部側を支持し、正逆回転することにより当該第二テープの送出し、及び巻取りを実施する第三リールと、を備え、
前記第一リールは、正逆回転することにより前記第一及び第二テープの送出し、及び巻取りを実施し、
外部から供給される紙幣を前記第一及び第二テープの間に挟んだ状態で前記第一及び第二テープと共に前記第一リールの外周に螺旋状に巻取り収納することを特徴とする請求項１に記載のテープ巻取り式紙幣還流装置。
【請求項３】
前記第一リール、前記第二リール、及び前記第一テープを収容する筐体を備え、
該筐体の適所には、前記第一リールと前記第二リールとの間に位置する前記第一テープ部分の模様を外部から観察可能な観察窓が形成されていることを特徴とする請求項１又は２に記載のテープ巻取り式紙幣還流装置。
【請求項４】
前記第一テープには、長手方向に対して平行に目盛線が形成されていることを特徴とする請求項１乃至３の何れか一項に記載のテープ巻取り式紙幣還流装置。
【請求項５】
請求項１乃至４の何れか一項に記載のテープ巻取り式紙幣還流装置を備えたことを特徴とする還流式紙幣処理装置。
【発明の詳細な説明】
【技術分野】
【０００１】
本発明は紙幣を収容したり払出す機能を有した還流式紙幣処理装置に装備されたテープ巻取り式の紙幣還流装置に関し、特に、テープの使用量や収納されている紙幣の概数等を容易に把握できるようにしたテープ巻取り式紙幣還流装置、及び還流式紙幣処理装置に関する。
【背景技術】
【０００２】
投入された紙幣を金種別に受け入れる入金機能や、釣り銭や払出し金として紙幣を払い出す出金機能を備えた各種自動販売機、入出金装置、両替機等（還流式紙幣処理装置）が知られている。
従来の還流式紙幣処理装置は、紙幣を積層して収納する金庫（還流式紙幣収納部）を備え、この金庫に紙幣を搬送して収納したり、金庫から紙幣を送出す構成を備えている。このように従来は紙幣同士を直接積層することにより収納する金庫構成を採るのが一般であった。
【０００３】
これに対して特許文献１（特開２０１３−１３７６１９公報）には、長尺なテープの両端部を回転自在な２つのリールに夫々固定し、一方の紙幣収納用のリールの外周に螺旋状に巻回したテープ間に紙幣を挟み込んで収納するテープ巻取り式の還流式紙幣収納装置が開示されている。このタイプの還流式紙幣収納装置にあっては、紙幣の収納時には紙幣収納用のリールを巻取り方向に回転駆動する一方で、収納した紙幣を払い出す場合には他方のリールを払出し方向へ回転駆動する。紙幣収納用のリールには紙幣供給部が近接配置されており、紙幣供給部から供給されてきた紙幣はリール間に挿入される。
テープ巻取り式の還流式紙幣収納装置においてテープ及び紙幣は、必ずしもリールに対して同心状に巻き取られるわけではなく、リールに対して偏心した状態にて巻き取られることが多い。このため、リールに巻き取られたテープの外径を一見しただけでテープの残量やテープ間に収納されている紙幣のおよその枚数を把握することは困難である。
そこで、特許文献１においては、テープの長手方向の始端部及び終端部の間で段階的又は連続的に切り替わるグラデーション模様を付したテープ巻取り式の還流式紙幣収納装置が記載されている。この還流式紙幣収納装置によれば、作業員は目視確認可能なテープ部分の色彩に基づいて、当該テープ部分の始端部又は終端部からのおよその長さや、リールに巻き取られている紙幣の概数を把握することができる。
【先行技術文献】
【特許文献】
【０００４】
【特許文献１】特開２０１３−１３７６１９公報
【発明の概要】
【発明が解決しようとする課題】
【０００５】
特許文献１に記載の発明においてテープに付されたグラデーション模様は、テープの長手方向に順次変化する。このため、色彩からテープ部分の長手方向位置や収納されている紙幣の概数を把握するためには、予め色彩の出現順序とテープの長手方向位置との関係を把握しておく必要がある。
本発明は上述の事情に鑑みてなされたものであり、任意のテープ部分を一見しただけで、テープ部分の長手方向位置や収納されている紙幣の概数を把握することが可能なテープ巻取り式の還流式紙幣収納装置を提供することを目的とする。
【課題を解決するための手段】
【０００６】
上記の課題を解決するために、請求項１に記載の発明は、長尺、帯状の第一テープと、該第一テープの長手方向一端部側を支持し、正逆回転することにより当該第一テープの巻取り、及び送出しを実施する第一リールと、該第一テープの長手方向他端部側を支持し、正逆回転することにより当該第一テープの送出し、及び巻取りを実施する第二リールと、を備え、外部から供給される紙幣を前記第一テープと共に前記第一リールの外周に螺旋状に巻取り収納するテープ巻取り式紙幣還流装置であって、前記第一テープには、文字、図形、記号、若しくはこれらの結合、又はこれら色彩との結合からなる模様が付されており、該模様は、前記第一テープの長手方向一端部側から他端部側へ向かうに連れて前記第一テープの短手方向における該模様の位置、又は／及び、形態が外観上変化するように構成されていることを特徴とする。
【発明の効果】
【０００７】
本発明によれば、テープの長手方向一端部側から他端部側へ向かうに連れてテープの短手方向における位置、又は／及び、形態が外観上変化する模様をテープに付したので、長手方向の任意の位置におけるテープ部分を一見しただけで、テープ部分の長手方向位置や収納されている紙幣の概数を把握することが可能となる。
【図面の簡単な説明】
【０００８】
【図１】本発明の一実施形態に係るテープ巻取り式の紙幣還流装置の概略構成を示す図であり、（ａ）は正面図であり、（ｂ）は（ａ）のＡ矢視図である。
【図２】本発明の第一の実施形態に係るテープを示した平面図である。
【図３】本発明の一実施形態に係る筐体の一部拡大上面図である。
【図４】図２の変形例に係るテープの模式図である。
【図５】本発明の第二の実施形態に係るテープを示した模式図である。
【図６】本発明の第三の実施形態に係るテープを示した模式図である。
【図７】本発明の第四の実施形態に係るテープを示した模式図である。
【図８】本発明の第五の実施形態に係るテープを示した模式図である。
【図９】本発明の第六の実施形態に係るテープを示した模式図である。
【発明を実施するための形態】
【０００９】
以下、本発明を図面に示した実施の形態により詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１０】
〔テープ巻取り式紙幣還流装置〕
図１は、本発明の一実施形態に係るテープ巻取り式の紙幣還流装置の概略構成を示す図であり、（ａ）は正面図であり、（ｂ）は（ａ）のＡ矢視図である。
テープ巻取り式紙幣還流装置（以下、紙幣還流装置、という）１は、投入された紙幣を受け入れる入金機能や、釣り銭や払出し金として紙幣を払い出す出金機能を備えており、各種自動販売機、入出金装置、両替機等の紙幣処理装置に装備される。
紙幣還流装置１は、図示しない紙幣入金部から投入された紙幣を収納方向と出金方向の双方向へ搬送可能な搬送経路と連通し、該搬送経路を搬送されてきた紙幣を収納（入金）したり該搬送経路へ繰出す手段（一時保留手段）である。
紙幣還流装置１は、長尺、帯状のテープ２、３と、テープ２、３の長手方向一端部側（一部）を支持して正逆回転することによりテープ２、３の巻取り、及び送出し動作を実施する第一リール１０と、テープ２の長手方向他端部側（他部）を支持して正逆回転することによりテープ２の送出し、及び巻取り動作を実施する第二リール２０と、テープ３の長手方向他端部側（他部）を支持して正逆回転することによりテープ３の送出し、及び巻取り動作を実施する第三リール３０と、を備える。
また紙幣還流装置１は、第二リール２０及び第三リール３０から夫々巻き出されたテープ２、３を第一リール１０に向けて折り返すと共に、外部から紙幣搬送口５５を介して搬送されてくる紙幣をテープ２、３間に受け入れ、又は受け入れた紙幣を紙幣搬送口５５を介して外部に送り出す紙幣出入口４１を形成するガイドローラ４０ａ、４０ｂを備える。紙幣出入口４１を経てテープ２、３間に供給された紙幣は、テープ２、３と共に第一リール１０に巻き取られる。
【００１１】
テープ２は、柔軟性を有するが伸縮性の低いフィルム材料を帯状に加工したものであり、両端部を第一リール１０と第二リール２０に夫々固定されている。このため、各リールが正逆回転する際に、各リール外周に巻き付いたり、各リールから送出される。
テープ３は、柔軟性を有するが伸縮性の低いフィルム材料を帯状に加工したものであり、両端部を第一リール１０と第三リール３０に夫々固定されている。このため、各リールが正逆回転する際に、各リール外周に巻き付いたり、各リールから送出される。
テープ２には、テープの長手方向位置を表す模様１００が付されている。なお、模様１００の詳細については後述する。
【００１２】
第一リール１０は、その外周に螺旋状に重ねて巻取られたテープ２Ａ、３Ａ間に外部から供給される紙幣を収納する紙幣収納部を構成する。
第一リール１０は、巻取り方向（図１（ａ）の反時計回り方向）へ回転する際に、外部から紙幣出入口４１を経て供給された紙幣を間に挟んだ状態のテープ２、３を第一リール１０の外周に螺旋状に重ねて巻き取ることにより紙幣を収納し、送出し方向へ回転する際には収納した紙幣を払い出す。また、第一リール１０は、第二リール２０が巻取り方向（図１（ａ）の反時計回り方向）へ回転駆動され、第三リール３０が巻取り方向（図１（ａ）の時計回り方向）へ回転駆動される際には、送出し方向へ回転してテープ２、３を送出す。
第二リール２０は巻取り方向へ回転駆動することにより第一リール１０から送出されたテープ２を巻取る一方で、第一リールがテープを巻取るために回転駆動される際には送出し方向（反時計回り方向）へ回転してテープを送出す。
第三リール３０は巻取り方向へ回転駆動することにより第一リール１０から送出されたテープ３を巻取る一方で、第一リールがテープを巻取るために回転駆動される際には送出し方向（反時計回り方向）へ回転してテープを送出す。
第一リール１０は第一駆動手段としての不図示の駆動モータにより駆動され、第二リール２０及び第三リール３０は、第二駆動手段としての不図示の駆動モータにより同期駆動される。各駆動モータは、不図示の制御手段によって制御される。
【００１３】
第一リール１０、第二リール２０、第三リール３０、及びテープ２、３は、筐体５０の内部に収容されている。筐体５０は、第一リール１０、第二リール２０、及び第三リール３０を適所に設けた軸受部材によって正逆回転自在に支持する。筐体５０の側面適所には、紙幣を紙幣還流装置１内に入金したり、紙幣還流装置１外へ払い出す紙幣搬送口５５が形成されている。また、外部に面する筐体５０の適所には、第一リール１０と第二リール２０との間に位置するテープ２のテープ部分２Ｂの走行面を外部から観察可能な観察窓５１が形成されている。特に本例では観察窓５１は筐体５０の上面５０ａに形成されており、第二リール２０とガイドローラ４０ａとの間のテープ部分２Ｂを視認可能である。
【００１４】
〔第一の実施形態〕
テープの長手方向位置を表す模様の詳細について説明する。図２は、本発明の第一の実施形態に係るテープを示した平面図である。図３は、本発明の一実施形態に係る筐体の一部拡大上面図である。
テープ２の走行面には、文字、図形、記号、若しくはこれらの結合、又はこれら色彩との結合から構成される模様１００が付されている。模様１００は、テープ２の長手方向一端部側から他端部側へ向かうに連れてテープ２の短手方向における模様１００の位置、又は／及び、形態が外観上変化するように構成されている点に特徴がある。即ち本実施形態は、テープ２の長手方向の任意の位置に表示された模様１００の短手方向の状態から、テープの長手方向位置を把握できるようにしたものである。ここで模様１００の形態とは、外観上表れる模様１００の形のことであり、具体的には模様の大きさ、長さ、或いは面積等を含む。
【００１５】
例えば、模様は図２に示すような斜線１０１とすることができる。斜線１０１はテープ２の長手方向一端部（始端部）の一方の角部から、テープの長手方向他端部（終端部）の他方の角部に向けて連続的に形成されている。斜線１０１は、テープ２の長手方向位置一端部側から他端部側へ向かうに連れて短手方向における位置が一方向に徐々に変化するように構成されている。特に本例ではテープ２の長手方向の任意の部位における斜線１０１の短手方向位置は、他の部位における斜線１０１の短手方向位置とは重複しない。
従って、図２に示すように筐体５０の観察窓５１からテープ部分２Ｂの短手方向における斜線１０１の位置を確認することにより、テープ２の全体に対するテープ部分２Ｂの長手方向位置を把握することができる。図２の例では、斜線１０１が観察窓５１の下方に位置しているほどテープ部分２Ｂが一端部寄りに位置し、第二リール２０に巻回されているテープ残量が多いことを示す。逆に、斜線１０１が観察窓５１の上方に位置しているほどテープ部分２Ｂが他端部寄りに位置し、テープ残量が少ないことを示す。
【００１６】
ここで、観察窓５１周辺の筐体上面５０ａには、図２に示すように、観察窓５１に現れる斜線１０１の短手方向位置とテープ２の残量との関係を概略的に示すガイドとして目安表示５２を設けることができる。また、ガイドは図３に示すように、テープ２の残量を表示する目盛５３とすることができる。目盛５３は、第一リール１０に収納した紙幣の概数、又は第一リール１０に収納可能な残紙幣概数を表示するものでもよい。このようなガイドは、筐体５０の観察窓５１周辺の他、観察窓５１自体に設けてもよいし、双方に設けてもよい。このように、観察窓５１に現れる模様１００の形態をガイドと比較することによって、模様１００とテープ２の長手方向位置との関係を即座に把握できる。
【００１７】
図４は、図２の変形例に係るテープの模式図である。図示するように、テープ２の走行面には、斜線１０１によって区画される一方の領域１０１ａと、他方の領域１０１ｂとを異なる色彩にした模様１００を付してもよい。図示する例では、一方の領域１０１ａに着色し、他方の領域１０１ｂを非着色としている。観察窓５１から観察されるテープ部分２Ｂに関して、着色された領域１０１ａの面積が大きいほどテープ残量が多く、着色された領域１０１ａの面積が小さいほどテープ残量が少ないことを示す。
【００１８】
以上のように本実施形態によれば、テープ２の長手方向位置に応じてテープの短手方向に形態が徐々に変化する模様１００をテープに付したので、テープ２の長手方向の一部分の模様の状態を観察するだけで長手方向位置を把握することができる。
なお、模様は連続的である必要はなく、例えば一定の大きさの点や記号を複数個、斜線状に離散的に配置したものでもよい。また、模様は必ずしもテープの長手方向の全体に形成する必要はない。テープの長手方向位置に関する情報を必要とする部位（テープの長手方向の一部分）にのみ形成したものであってもよい。
【００１９】
〔第二の実施形態〕
図５（ａ）、（ｂ）は、本発明の第二の実施形態に係るテープを示した模式図である。図２に示した模様１００の一例である斜線１０１はテープ２の長手方向に連続的に変化するものであったが、模様はテープ２の長手方向に不連続に変化するものであってもよい。図５（ａ）には、テープ２の長手方向一端部側から他端部側へ向かうに連れて短手方向における線の位置が一方向に段階的に変化する階段状模様１０２を示している。従って第一の実施形態と同様に、テープ２の短手方向における階段状模様１０２の位置を観察窓５１から確認することにより、テープ部分２Ｂの残量を把握することができる。
また図５（ｂ）に示すように模様１００は、図４と同様に、階段状模様１０２によって区画される一方の領域１０２ａと、他方の領域１０２ｂとに異なる色彩を付したものでもよい。
【００２０】
〔第三の実施形態〕
図６は、本発明の第三の実施形態に係るテープを示した模式図である。模様はテープ２の長手方向位置に応じて短手方向長が変化するものであってもよい。模様１００の一例として図６に示した星マーク１０３は、テープ２の長手方向一端部（始端部）においてはテープ２の短手方向いっぱいに描画されているが、テープ２の長手方向他端部（終端部）に向けて短手方向長が段階的に変化する。
例えば、テープ残量が５０％の位置には、星マーク１０３が短手方向の約半分の長さを有する図形として描かれており、テープ残量が２５％の位置には、星マーク１０３が短手方向の約４分の１の長さを有する図形として描かれている。
このように、テープの短手方向における模様の大きさをテープの一端部側から他端部側へ向かうに連れて一定の割合又は所定の割合で徐々に変化させるようにしても、模様の大きさを確認することにより、テープ部分の長手方向位置を把握することができる。
【００２１】
〔第四の実施形態〕
図７は、本発明の第四の実施形態に係るテープを示した模式図である。模様１００は、その全体形状がテープ２の短手方向にすべて現れている必要はない。
模様１００の一例として図７に示した三角マーク１０４は、第三の実施形態と同様にテープの短手方向における大きさがテープの一端部側から他端部側へ向かうに連れて一定の割合にて変化する図形である。三角マーク１０４は、テープ２の短手方向長の２倍の大きさにてテープ残量１００％を表現し、テープの短手方向長と同等の大きさにてテープ残量５０％を表現し、テープの短手方向長の４分の１の大きさでテープ残量２５％を表現する。
即ち三角マーク１０４には、実存するテープ２部分に形成された実模様１０４ａのみからなる三角マーク１０４Ａと、実模様１０４ａと実存するテープ２を幅方向に拡大した仮想テープ２ｂ部分に形成された仮想模様１０４ｂとから構成される三角マーク１０４Ｂとが存在する。仮想模様１０４ｂ部分を含む三角マーク１０４Ｂの全体形状は、テープ２の長手方向と交差する実模様１０４ａの２辺を延長することによって把握できる。
このように、実存するテープ２に付された一部分の形状（実模様１０４ａ部分）から仮想テープ２ｂ部分を含む模様全体の形状（模様全体の短手方向長）を把握できる場合には、テープ２に対して模様の一部分のみが表示されていても構わない。このような模様には例示した三角形の他、円、楕円、多角形等、種々のものを採用できる。
ここで、テープ２に実際に表示できる模様の短手方向長は、図５のようにテープの短手方向長に応じて制限されることになる。しかし本実施形態によれば、実存するテープ２を短手方向に拡大した仮想テープ２ｂ部分を利用して模様全体を表現するため、実存するテープ２部分に表示する実模様１０４ａを大きくすることができ、模様の視認性が向上する。
【００２２】
〔第五の実施形態〕
図８は、本発明の第五の実施形態に係るテープを示した模式図である。上記各実施形態においては、模様１００の短手方向位置（或いは短手方向長）とテープ２の長手方向位置との関係を示すガイド（目安表示５２、又は目盛５３）を観察窓５１の周辺、又は観察窓５１自体に設けた。しかし、テープ２が短手方向にずれて走行した場合には、観察窓５１から視認される模様１００が短手方向にずれることとなり、テープの長手方向位置を誤認する虞がある。
そこで本実施形態においては、テープ２自体に模様１００の短手方向位置（又は短手方向長）とテープ２の長手方向位置との関係を示すガイドを付している。
テープ２には模様１００の一例である斜線１０１の他にガイドとしての目盛線１０５が付されている。目盛線１０５は、テープ２の長手方向に沿って平行に形成されている。図示する例では３本の目盛線１０５が等間隔に付されている。斜線１０１と夫々の目盛線１０５との交点は、テープ残量２５％、５０％、７５％を示す。
このように、テープ２の長手方向に沿って平行に、且つ等間隔に目盛線１０５を付しておけば、観察窓５１に対してテープ２が短手方向にずれて走行した場合であっても、テープ２の長手方向位置を比較的正確に把握することができる。
【００２３】
〔第六の実施形態〕
図９は、本発明の第六の実施形態に係るテープを示した模式図である。上記各実施形態に示した模様１００は、テープ２の長手方向位置を示す文字と組み合わせて表示されてもよい。例えば図９は第一の実施形態に示した斜線１０１の他に、テープ残量を表示する文字１０６をテープに付した例である。この文字は収容した紙幣の概数や、収容可能な残紙幣枚数等を示すものでもよい。具体的な文字を組み合わせて表示することで、テープ部分の長手方向位置を把握し易くなる。
【００２４】
〔実施形態の効果〕
例えば特許文献１のように、テープの長手方向に徐々に変化するグラデーション模様等に基づいてテープの長手方向位置を知るためには、模様が長手方向にどのように変化するのかを事前に把握している必要がある。即ち、特許文献１に記載の発明ではテープの長手方向の一部分に現れた模様だけではテープの長手方向位置を把握することはできない。
上記本発明の各実施形態によれば、テープの一端部側から他端部側へ向かうに連れて短手方向における模様の位置、又は／及び、形態が外観上変化するようにしたので、テープの長手方向の一部分の模様の状態を観察すれば、テープの長手方向位置を把握することができる。
また、テープの全長と収納可能な総紙幣枚数との間には相関関係があることから、テープの長手方向位置がわかれば、第一リールに巻き取られたテープ量と第一リールに収納された紙幣のおおよその枚数、及び第二リールに巻回されている残テープの量とこれから収納しうる紙幣のおおよその枚数を把握することができる。
なお、上記各実施形態に示した模様は、テープの長手方向位置に応じて連続的に又は段階的にテープの長手方向における形態のみが変化する模様として、例えばグラデーション模様等と組み合わせて表示されてもよい。
【００２５】
第二リールに巻き付いている残テープ量や、第一リールに収納されている紙幣の概数等は、第二リールに巻き付いているテープ部分の外径から判断することができる。しかし、紙幣還流装置の筐体内には軸受やギヤ、各種のセンサ等が密集して配置されているため、紙幣還流装置のカバーを開けずにリールの外径を外部から観察することは困難である。そこで、本発明の各実施形態においては筐体に観察窓を設けて、テープの模様を筐体の外部から確認できるようにした。これにより、紙幣還流装置の使用中においても、テープ部分の長手方向位置を容易に把握することができる。
また、上記実施形態に示した紙幣還流装置は２つのテープ間に紙幣を収納する構成であるが、特開２０１３−８３４３号のように、ドラムの外周に螺旋状に重ねて巻き取られた単一のテープ間に紙幣を収納するようにした紙幣還流装置に本発明を適用してもよい。
【００２６】
＜本発明の構成、作用、効果のまとめ＞
第１の本発明に係るテープ巻取り式紙幣還流装置１は、長尺、帯状の第一テープ２と、第一テープの長手方向一端部側を支持し、正逆回転することにより当該第一テープの巻取り、及び送出しを実施する第一リール１０と、第一テープの長手方向他端部側を支持し、正逆回転することにより当該テープの送出し、及び巻取りを実施する第二リール２０と、を備え、外部から供給される紙幣を第一テープと共に第一リールの外周に螺旋状に巻取り収納するテープ巻取り式紙幣還流装置であって、第一テープには、文字、図形、記号、若しくはこれらの結合、又はこれら色彩との結合からなる模様１００が付されており、模様は、第一テープの長手方向一端部側から他端部側へ向かうに連れて第一テープの短手方向における模様の位置、又は／及び、形態が外観上変化するように構成されていることを特徴とする。
テープの長手方向一端部側から他端部側へ向かうに連れてテープの短手方向における位置、又は／及び、形態が外観上変化する模様をテープに付したので、長手方向の任意の位置におけるテープ部分を一見しただけで、テープ部分の長手方向位置や収納されている紙幣の概数を把握することが可能となる。
【００２７】
第２の本発明に係るテープ巻取り式紙幣還流装置１は、長手方向一端部側を第一リール１０によって支持された長尺、帯状の第二テープ３と、第二テープの長手方向他端部側を支持し、正逆回転することにより第二テープの送出し、及び巻取りを実施する第三リール３０と、を備え、第一リールは、正逆回転することにより第一及び第二テープの送出し、及び巻取りを実施し、外部から供給される紙幣を第一及び第二テープの間に挟んだ状態で第一及び第二テープと共に第一リールの外周に螺旋状に巻取り収納することを特徴とする。
本発明は、２つのテープ間に紙幣を挟んで収容するタイプのテープ巻取り式紙幣還流装置にも適用可能である。
【００２８】
第３の本発明に係るテープ巻取り式紙幣還流装置１は、第一リール１０、第二リール２０、及び第一テープ２を収容する筐体５０を備え、筐体の適所には、第一リールと第二リールとの間に位置する第一テープ部分２Ｂの模様を外部から観察可能な観察窓５１が形成されていることを特徴とする。
筐体に観察窓を設けて、第一テープの模様を筐体の外部から確認できるようにしたので、紙幣還流装置の使用中においても、第一テープ部分の長手方向位置を容易に把握することができる。
【００２９】
第４の本発明に係るテープ巻取り式紙幣還流装置１の第一テープ２には、長手方向に対して平行に目盛線１０５が形成されていることを特徴とする。
第一テープの短手方向に対する模様の位置、又は／及び、形態と、第一テープの長手方向位置との関係を示すガイドとしての目盛線を第一テープに形成したので、第一テープの長手方向位置を容易に把握することができる。
【００３０】
第５の本発明に係る還流式紙幣処理装置は、請求項１乃至３の何れか一項に記載のテープ巻取り式紙幣還流装置を備えたことを特徴とする。
テープ巻取り式紙幣還流装置は、各種自動販売機、入出金装置、両替機等の紙幣処理装置に適用することができ、これらの機器の保守管理性の向上に資することができる。
【符号の説明】
【００３１】
１…紙幣還流装置、２…（第一）テープ、３…（第二）テープ、２Ｂ…テープ部分、２ｂ…仮想テープ、１０…第一リール、２０…第二リール、３０…第三リール、４０ａ、４０ｂ…ガイドローラ、４１…紙幣出入口、５０…筐体、５０ａ…上面、５１…観察窓、５２…目安表示、５３…目盛、５５…紙幣搬送口、１００…模様、１０１…斜線、１０２…階段状模様、１０３…星マーク、１０４…三角マーク、１０４ａ…実模様、１０４ｂ…仮想模様、１０５…目盛線、１０６…文字
【図１】
2016057963.tif 000003
【図２】
2016057963.tif 000004
【図３】
2016057963.tif 000005
【図４】
2016057963.tif 000006
【図５】
2016057963.tif 000007
【図６】
2016057963.tif 000008
【図７】
2016057963.tif 000009
【図８】
2016057963.tif 000010
【図９】
2016057963.tif 000011